(57)【要約】【課題】紙を主体とし、容器をシール密封する蓋材において、その開封に際し、従来の剥離強度を維持しつつ、製造コストも嵩まず、蓋材自体の破れの全くない蓋材を提供することにある。【解決手段】容器本体の上縁開口部をシール密封する蓋材であって、最外層が紙層で、中間層がアルミニウム箔で、最内層がシーラント層でなり、このシーラント層３０は、ポリエチレン樹脂層３６と接着性樹脂層３３とポリエステルもしくはポリアミド樹脂層３４と接着性樹脂層３３と易剥離性樹脂層３２の５層構造の共押出しフィルムでなる蓋材としたものである。【選択図】図２
2004075178.tif 000002
【特許請求の範囲】
【請求項１】
容器本体の上縁開口部をシール密封する積層体で、外周縁に開封用タブを有する蓋材であって、前記積層体は、最外層が紙層で、中間層がアルミニウム箔で、最内層がシーラント層でなり、該シーラント層は、ポリエチレン樹脂層とポリエステル樹脂層もしくはポリアミド樹脂層と易剥離性樹脂層が接着性樹脂層を介して接着していることを特徴とする蓋材。
【請求項２】
上記シーラント層は、ポリエチレン樹脂と接着性樹脂とポリエステル樹脂もしくはポリアミド樹脂と接着性樹脂と易剥離性樹脂の５層構造の共押出しフィルムでなることを特徴とする請求項１記載の蓋材。
【請求項３】
上記紙層とアルミニウム箔とシーラント層との間が、ポリエチレンの押出しラミネートにより貼り合わされていることを特徴とする請求項１または２記載の蓋材。
【発明の詳細な説明】
【０００１】
【発明の属する技術分野】
本発明は、上端に開口部を有し、かつ上端周縁にフランジ部を有する容器本体の、前記フランジ部のシール密封に適した蓋材に関するものであり、特に即席麺等を収納し、熱湯を注いで食する容器の開口部をシール密封する紙を主体とした蓋材に関する。
【０００２】
【従来の技術】
従来、例えば即席麺や即席スープ等を収納する発泡ビーズ成形ポリスチレン容器で、上端に開口部を有し、かつ上端周縁にフランジ部を有する容器本体の前記フランジ部をシール等で密封する紙を主体とした蓋材として、紙層の下面にアルミニウム箔、易ピール性のシーラント層が積層されたものが知られ、その開封（開口）は、外周縁の開封用プルタブを摘んで引っ張り上げて、シーラント層面から剥離して成されるようになっている。
【０００３】
上記従来の蓋材の構成と積層する工程を更に具体的に説明すると、例えば図４の側断面積層図に示すように、表面に印刷層（１１）を有する最外層の紙層（１０）としては、坪量７９．１ｇ／ｍ２　の片アート紙、中間層には厚さ６〜７μｍのアルミニウム箔（２０）、最内層の易ピール性の易剥離樹脂層（３０）として、厚さ２５μｍ程度の易剥離性樹脂、例えば低密度ポリエチレン樹脂にポリスチレンやポリブデン等ポリオレフィンに対し不相溶性成分を混合したものなどがポリエチレンの押出しラミネートによって積層されているもので、紙層（１０）とアルミニウム箔（２０）とをポリエチレンを押し出したサンドポリエチレン層（１５）でラミネート（接着）せしめ、さらに上記アルミニウム箔（２０）面に易剥離樹脂を押し出して易剥離樹脂層（３０）を形成してシーラント層とするのが一般的である。
【０００４】
【発明が解決しようとする課題】
しかしながら、上記構成の従来の蓋材において、その開封（開口）に際し、例えば図５の斜視図に示すように、外周縁の開封用プルタブ（１２）を摘んで引っ張り上げて、容器本体（２）のフランジ部（２１）から、蓋材（１）の易剥離樹脂層面（３０ａ）を剥離すると、フランジ部（２１）から部分的に剥離されない場合があり、その部分で蓋材（１）に破れが発生し、蓋材の一部（１ａ）がフランジ部（２１）に部分的に残り、正常な開封ができない場合があるという問題があった。
【０００５】
これは、蓋材（１）自体の引裂き強度の弱さ、この易剥離樹脂層面（３０ａ）とフランジ部（２１）との接着性と易剥離性のバランスのばらつき、それに剥離（引っ張り上げ）の速度等により発生するものであるが、少なくとも顧客がいかなる速度や力で剥離しても、破れや引裂きが起こったりせず、正常な開封ができるようにしなければならない。
【０００６】
従って上記問題解決の対策として、例えばシーラント層の剥離強度（接着強度）を低くするという方法があるが、この剥離強度をあまり低くすると輸送中等不必要時に剥がれたりするので好ましくないものであった。また、アルミニウム箔とポリエチレンテレフタレートフィルムをドライラミネーション接着剤を介して積層したものとして蓋材自体を破れにくくする方法もあるが、工程数や材料（原反）が増える等製造コストが嵩むという問題があった。
【０００７】
本発明は、かかる従来技術の問題点を解決するものであり、その課題とするところは、紙を主体とし、容器の開口部をシール密封する蓋材において、その開封に際し、従来の剥離強度を維持しつつ、製造コストも嵩まず、蓋材自体の破れの全くない蓋材を提供することにある。
【０００８】
【課題を解決するための手段】
本発明に於いて上記課題を達成するために、まず請求項１の発明では、容器本体の上縁開口部をシール密封する積層体で、外周縁に開封用タブを有する蓋材であって、前記積層体は、最外層が紙層で、中間層がアルミニウム箔で、最内層がシーラント層でなり、該シーラント層は、ポリエチレン樹脂層とポリエステル樹脂層もしくはポリアミド樹脂層と易剥離性樹脂層が接着性樹脂層を介して接着していることを特徴とする蓋材としたものである。
【０００９】
上記請求項１の発明によれば、上記最内層のシーラント層を、ポリエチレン樹脂層とポリエステル樹脂層もしくはポリアミド樹脂層と易剥離性樹脂層が接着性樹脂層を介して接着していて、特に耐引裂き性のあるポリエステル樹脂層もしくはポリアミド樹脂層が中間に積層されているので、開封用プルタブを引っ張り上げて容器本体のフランジ部から、このシーラント層面を剥離すると、蓋材が破れることがなく正常な開封とすることができる。
かつまた、最内面が従来と同様易剥離性樹脂でなるので、バランスのとれたヒートシール性と剥離強度（接着強度でもある）が維持される易剥離性の蓋材とすることができる。
【００１０】
また、請求項２の発明では、上記シーラント層は、ポリエチレン樹脂と接着性樹脂とポリエステル樹脂もしくはポリアミド樹脂と接着性樹脂と易剥離性樹脂の５層構造の共押出しフィルムでなることを特徴とする請求項１記載の蓋材としたものである。
【００１１】
上記請求項２の発明によれば、上記最内層のシーラント層を、ポリエチレン樹脂、接着性樹脂、ポリエステル樹脂もしくはポリアミド樹脂、接着性樹脂、易剥離性樹脂の５層構造の共押出しフィルムとし、最外層の紙層、中間のアルミニウム箔との積層体とするので、従来と工程数や原反が増えることがなく、原反として単層から５層構造の共押出しフィルムとなるのみで製造コストが比較的嵩まない易剥離性の蓋材とすることができる。
【００１２】
また、請求項３の発明では、上記紙層とアルミニウム箔とシーラント層との間が、ポリエチレンの押出しラミネートにより貼り合わされていることを特徴とする請求項１または２記載の蓋材としたものである。
【００１３】
上記請求項３の発明によれば、上記紙層とアルミニウム箔とシーラント層との間がポリエチレンの押出しラミネートにより貼り合わされているので、高効率で積層を可能にする易剥離性の蓋材とすることができる。
【００１４】
【発明の実施の形態】
以下本発明の実施の形態を図面を用いて詳細に説明する。
【００１５】
本発明は、図１の斜視図に示すように、上端に開口部を有し、かつ上端周縁にフランジ部（２１）を有する容器本体（１０）の、そのフランジ部（２１）のシール密封に適した紙を主体とした蓋材（１）で、周縁に開封用プルタブ（１２）を有し、特に例えば内容物の即席麺等を収納し、その即席麺等を食するに際し、その開封用プルタブ（１２）を摘んで引っ張り上げて開封する容器の蓋材（１）に関するものである。
【００１６】
そこで本発明の蓋材は、図２の側断面積層図に示すように、最外層が、表面に印刷層（１１）を有する紙層（１０）で、中間層がアルミニウム箔（２０）で、内容物に接する最内層がシーラント層（３０）でなる蓋材（１）であって、それぞれの層（１０、２０、３０）がポリエチレンの押し出しでなるサンドポリエチレン層（１５）で貼り合わされているものであって、上記請求項１に係る発明では、例えば図３の側断面積層図に示すように、最内面（内容物が触れる面で、容器フランジ部にヒートシールされる面でもある）から易剥離性樹脂層（３２）と、ポリエステルもしくはポリアミド樹脂層（３４）と、最外面（図２に示す中間のアルミニウム箔（２０）に接着される面）のポリエチレン樹脂層（３６）とが、それぞれ接着性樹脂層（３３）を介して接着されているシーラント層（３０）とするものである。
【００１７】
このように耐引裂き性（耐破れ性）のあるポリエステルもしくはポリアミド樹脂層（３４）と最内面に従来と同様のヒートシール性と剥離性のバランスのとれた易剥離性樹脂層（３２）が積層されているので、開封に際し、蓋材（１）の破れがなく、かつ従来の易剥離性が維持され、容易に正常な開封が可能な蓋材（１）とすることができる。
【００１８】
上記シーラント層（３０）を構成するポリエチレン樹脂層（３６）としては、例えば直鎖状低密度ポリエチレン樹脂（ＬＬＤＰＥ）、低密度ポリエチレン（ＬＤＰＥ）、中密度ポリエチレン樹脂（ＭＤＰＥ）等による層が挙げられ、特に加工性（特にヒートシール性）等の点から前記直鎖状低密度ポリエチレン樹脂（ＬＬＤＰＥ）やエチレン−メタクリル酸共重合体（ＥＭＡＡ）が好適な材料として使用することができる。
【００１９】
また、上記シーラント層（３０）を構成するポリエステルもしくはポリイミド樹脂層（３４）としては、例えばポリエチレンテレフタレート（ＰＥＴ）、ポリブチレンテレフタレート（ＰＢＴ）、ポリエチレンナフタレート（ＰＥＮ）等ポリエステル樹脂、もしくはナイロン樹脂（Ｎｙ）で代表されるポリアミド樹脂による層が挙げられ、特に材料コスト等の点から前者のポリエチレンテレフタレート（ＰＥＴ）あるいはナイロン（Ｎｙ）が好適な材料として使用することができる。
【００２０】
また、上記シーラント層（３０）を構成する易剥離性樹脂層（３２）としては、ヒートシール性に優れる直鎖低密度ポリエチレン（ＬＬＤＰＥ）、低密度ポリエチレン（ＬＤＰＥ）、無延伸ポリプロピレン（ＣＰＰ）等のポリオレフィン系樹脂を用いることも出来るが、これら樹脂のみでは接着強度と剥離強度のバランスがとれないことがあるので、例えばこれらポリオレフィン樹脂にさらにポリスチレンやポリブデン等からなる、このポリオレフィン樹脂に対し不相溶性成分を混合したものが挙げられ、さらに具体的には接着性ポリオレフィン系樹脂押出グレードとしてＣＭＰＳ：ＶＮ５０３（三井・デュポンポリケミカル社製）等が好適に使用することができる。
【００２１】
さらにまた、上記シーラント層（３０）を構成する易剥離性樹脂層（３２）としては、例えばエチレン−酢酸ビニル共重合樹脂、エチレン−アクリル酸共重合樹脂等からなるホットメルト樹脂（接着剤）を用いることもでき、これら易剥離性樹脂層（３２）によって容器本体（２）のフランジ部（２１）との十分な密封性と剥離開封性を可能とすることができる。
【００２２】
また、上記シーラント層（３０）を構成するもので、上記ポリエチレン樹脂層（３６）と、ポリエステルもしくはポリアミド樹脂層（３４）および易剥離性樹脂層（３２）を接着させる接着性樹脂層（３３）としては、例えば不飽和カルボン酸変性ポリエチレン樹脂による層が加工性、接着性等の面から好適に使用される。
【００２３】
また、上記請求項２に係る発明は、例えば図３の側断面積層図に示すシーラント層（３０）を、厚さ７〜８μｍ程度のポリエチレン樹脂層（３６）、２〜３μｍ程度の接着性樹脂層（３３）、厚さ５〜６μｍ程度のポリエステルもしくはポリアミド樹脂層（３４）、２〜３μｍ程度の接着性樹脂層（３３）、さらに厚さ７〜８μｍ程度の易剥離性樹脂層（３２）の順に、溶融押出機による５層構成の共押出フィルムとするもので、図２に示すように、この５層構成の共押出フィルムをシーラント層（３０）とし、アルミニウム箔（２０）面にサンドポリエチレン層（１５）を介して接着され、工程数と原反（５層構成の共押出フィルムを一原反とする）を増やすことのない蓋材（１）とすることができる。
【００２４】
さらにまた、上記請求項３に係る発明は、例えば図２に示すように、表面に印刷層（１１）を有する紙層（１０）と、アルミニウム箔（２０）と、上記５層構成の共押出フィルムでなるシーラント層（３０）との間に、溶融ポリエチレン樹脂を押し出して、略５〜２０μｍ程度のサンドポリエチレン層（１５）を形成してラミネートし、従来と同様の工程数で製造コストが嵩まない蓋材（１）とすることができる。
【００２５】
上記本発明の蓋材（１）を構成する紙層（１０）としては、少なくとも表面が白色で多色印刷適性を有するものが好ましく、例えば坪量５０ｇ／ｍ２　〜１２０ｇ／ｍ２　程度、好ましくは７５ｇ／ｍ２　〜１００ｇ／ｍ２　程度の両アート紙、片アート紙あるいは両面、片面コート紙などを好適に使用することができる。
【００２６】
また、上記本発明の蓋材（１）を構成するアルミニウム箔（２０）としては、厚さ７〜９μｍ程度のもので、内容物（例えば乾燥麺等）を保護するための遮光性、ガスバリア性を有し、さらにこの蓋材の開封に際し、略半分を容器フランジ部から剥離すると、蓋材が外側にカールした状態を保つ性質（デットホールド性という）を有していて、その状態で熱湯を注いだりすることができる好適な材料である。
【００２７】
【発明の効果】
本発明は以上の構成であるから、下記に示す如き効果がある。
即ち、上記請求項１の発明においては、容器本体の上縁開口部をシール密封する積層体で、外周縁に開封用タブを有する蓋材であって、前記積層体は、最外層が紙層で、中間層がアルミニウム箔で、最内層がシーラント層でなり、前記最内層のシーラント層を、ポリエチレン樹脂層とポリエステル樹脂層もしくはポリアミド樹脂層と易剥離性樹脂層が接着性樹脂層を介して接着していて、特に耐引裂き性のあるポリエステル樹脂層もしくはポリアミド樹脂層が中間に積層されているので、開封用プルタブを引っ張り上げて容器本体のフランジ部から、このシーラント層面を剥離すると、蓋材が破れることがなく正常な開封とすることができる。
【００２８】
かつ最内面が従来と同様の易剥離性樹脂でなるので、バランスのとれたヒートシール性と剥離強度（接着強度でもある）が維持される易剥離性の蓋材とすることができる。
【００２９】
また、上記請求項２に係る発明においては、上記最内層のシーラント層を、ポリエチレン樹脂、接着性樹脂、ポリエステル樹脂もしくはポリアミド樹脂、接着性樹脂、易剥離性樹脂の５層構造の共押出しフィルムとし、最外層の紙層、中間のアルミニウム箔との積層体とするので、従来と工程数や原反が増えることがなく、原反として単層から５層構造の共押出しフィルムとなるのみで製造コストが比較的嵩まない易剥離性の蓋材とすることができる。
【００３０】
さらにまた、上記請求項３に係る発明においては、上記紙層とアルミニウム箔とシーラント層との間がポリエチレンの押出しラミネートによるサンドポリエチレン層で貼り合わされているので、効率よく積層を可能にする易剥離性の蓋材とすることができる。
【００３１】
従って本発明は、上端に開口部を有し、かつ上端周縁にフランジ部を有する容器本体の、前記フランジ部のシール密封に適した蓋材で、特に即席麺等を収納し、熱湯を注いで食する容器の開口部をシール密封する紙を主体とした蓋材において、優れた実用上の効果を発揮する。
【図面の簡単な説明】
【図１】本発明の蓋材が適用される容器の一実施の形態を説明するための斜視図である。
【図２】本発明の蓋材の一実施の形態を側断面で表した説明図である。
【図３】本発明の蓋材を構成するシーラント層の一実施の形態を側断面で表した説明図である。
【図４】従来の蓋材の一事例を側断面で表した説明図である。
【図５】従来の蓋材が適用される容器の開封状態の一事例を説明するための斜視図である。
【符号の説明】
１‥‥蓋材
１ａ‥‥フランジ部に残った蓋材の一部
２‥‥容器本体
１０‥‥紙層
１１‥‥印刷層
１２‥‥開封用プルタブ
１５‥‥サンドポリエチレン層
２０‥‥アルミニウム箔
２１‥‥フランジ部
３０‥‥シーラント層
３０ａ‥‥シーラント層面
３２‥‥易剥離性樹脂層
３３‥‥接着性樹脂層
３４‥‥ポリエステルもしくはポリアミド樹脂層
３６‥‥ポリエチレン樹脂層
【図１】
2004075178.tif 000003
【図２】
2004075178.tif 000004
【図３】
2004075178.tif 000005
【図４】
2004075178.tif 000006
【図５】
2004075178.tif 000007